(57)【特許請求の範囲】
【請求項１】
路面等に固定される台座と、その台座から起立固定された柱状をなす本体中芯部と、該本体中芯部に外嵌される複数個に分割された本体表示部と、前記本体中芯部に外嵌された複数個の本体表示部の上端に対向して本体中芯部の頂部に固定される蓋部とよりなり、
前記の本体表示部は、その内径が本体中芯部よりも僅かに大径のパイプであって、表示を施されており、
前記の蓋部は、前記本体表示部を台座に向けて押し付けた状態で本体中芯部に固定する固定手段を備えていて、この蓋部を本体中芯部から脱着して本体表示部を交換し得るように構成したことを特徴とする、道路標識柱
【発明の詳細な説明】
【０００１】
【発明の属する技術分野】
本発明は、道路工事やイベント時の誘導標識あるいは駐車場における指示標識などとして使い分けることができる道路標識柱に関するものである。
【０００２】
【従来の技術】
道路工事やイベント時の誘導標識あるいは駐車場における指示標識として、一般に図４に示す直置きタイプの三角コーン標識ａが使用されている。しかし、この三角コーン標識は、路面に置くだけで固定されていないため、車輌などが接触するとはね飛ぶことがあって、安全面の点で問題がある。また、この三角コーン標識に文字テープや反射テープなどを貼りつけて誘導ないし指示内容などを表示することがあるが、一旦表示した誘導ないし指示内容を変更することは困難であり、かつ、排気ガス等により表示部の一部が汚れ、あるいは車輌との接触により表示部の一部に傷や破れなどが発生すると、標識柱全体を交換しなければならいという問題がある。
【０００３】
なお、道路工事やイベント時の誘導標識ではないが、路面に固定可能に設置したベース部材に複数の胴体部材を柱状に連結可能とし、各種のセンサー、警報装置、ＬＥＤ、音発生装置などを備えたサインポストが提案されているが（特開平１１−８１２５３号参照）、このサインポストは複雑な構造で高価なため、本発明の対象とする道路標識柱としては使用に適さない。
【０００４】
【発明が解決しようとする課題】
本発明は、前記の如き従来技術の問題点を改善し、簡単な構造で廉価に提供することができ、しかも、道路工事、イベントの誘導標識、あるいは駐車場の指示標識などとして使い分けることができる安全な道路標識柱を提供せんとするものである。
【０００５】
【課題を解決するための手段】
本発明は、前記の目的を達成するため、路面等に固定される台座と、その台座から起立固定された柱状をなす本体中芯部と、該本体中芯部に外嵌される複数個に分割された本体表示部と、前記本体中芯部に外嵌された複数個の本体表示部の上端に対向して、本体中芯部の頂部に固定される蓋部とよりなり、
前記の本体表示部は、その内径が本体中芯部よりも僅かに大径のパイプであって、表示を施されており、
前記の蓋部は、前記本体表示部を台座に向けて押し付けた状態で本体中芯部に固定する固定手段を備えていて、この蓋部を本体中芯部から脱着して本体表示部を交換し得るように構成したことを特徴とする。
【０００７】
本発明の道路標識柱は、蓋部を取り外せば任意の本体表示部を簡単に脱着することができるので、表示内容の変更を簡単に行なうことができ、さらに排気ガスなどによる本体表示部の文字や反射テープなどが汚れた場合、あるいは、車輌との接触により本体表示部に傷や破損が生じた場合には、その汚れや損傷などが生じた部分の本体表示部のみを交換することにより対応することができるので、メンテナンス費用を低減することができる。
【０００８】
【発明の実施の形態】
以下、添付図面について本発明の実施の形態を説明する。図１は本発明の一実施例を示す分解図、図２は路面などに設置した状態を示す正面図である。
【０００９】
これらの図において、１は注型ウレタンなどにより成型した台座で、路面などに埋設した埋設脚２と螺合するネジ３の頭部を一体に結合してある。４はウレタンパイプよりなる本体中芯部で、前記台座１の成型時にその下端を台座１と一体に結合してある。５−１，５−２，５−３はＰＥ（ポリエチレン）、ＰＰ（ポリプロピレン）、ウレタンゴムなどのパイプ（その内径は前記本体中芯部より僅かに大径）により構成した本体表示部で、任意所要数に分割されており、かつ、そのそれぞれに任意所望の文字５０や再帰反射テープ５１の貼りつけなどによる表示を施こしてある。６はウレタン、ＰＰ、ＰＥ材などからなる本体表示部の抜け止め用の蓋部で、複数に分割された前記本体表示部５−３，５−２，５−１を順次本体中芯部４に外嵌した後、蓋部６を本体中芯部４の頂部にかぶせ、蓋部６により各本体表示部を台座１に向けて押付けた状態で止めネジ７などの固定手段により本体中芯部４に固定する。なお、この止めネジとしては、ステンレス製または防錆メッキを施した鉄製のものが好ましい。
【００１０】
前記本体表示部５−１，５−２，５−３は、道路工事やイベント時などの誘導標識、あるいは、駐車場における指示標として任意所要のものを用意する。例えば、図１および図２に示すように、「駐停車禁止」の文字を表示したものと、図３に示すように「駐車場１０ｍ先」の文字を表示したものとを用意しておき、その何れかを選択的に使用するようにする。
【００１１】
前記の台座１、本体中芯部４、本体表示部５−１〜５−３、蓋部６の材質は、任意所要のものを使用することができるが、本体中芯部４は、押出し成形用のウレタン材（日本メクトロン（株）のＵ４８６）が好ましい。引張強度が大きく、屈曲性が良いからである。また、台座の材質としては、注型用のウレタン材（日本メクトロン（株）のＵ１１８）の使用が好ましい。さらに、蓋部６の材質としては、ＰＥ材（例えば、東ソー（株）ニポロンハード＃８５００）の使用が好ましい。さらに、本体表示部の材質としては、ＰＥ材またはＰＰ材（例えば、チッソポリプロピレンＫ７７１４Ｒ）の使用が好ましい。
【００１２】
【発明の効果】
以上述べたように、本発明によれば、台座が路面などら固定されると共に、本体中芯部がウレタンなどの弾性体からなるので、これに車輌などが接触すると、本体中芯部が屈曲して衝撃を吸収すると共に、標識柱自体がはね飛ばされるのを防止して、安全性を保つことができる。
【００１３】
また、本発明によれば、蓋部を本体中芯部から取り外せば、本体表示部を簡単かつ容易に交換することができるので、本体表示部としてその使用目的に応じた各種のもの、例えば、道路工事用、各種イベント用、駐車場用のものなどを用意しておけば、使用する目的に応じた本体表示部を選択して組付けるだけで目的とする用途に適した道路標識とすることができる。
【００１４】
同様にして、本体表示部の一部に汚れや破損などが生じた場合には、その一部の表示部のみを交換するだけで済むので、メンティナンス費用を低減することができる。
【図面の簡単な説明】
【図１】一実施形態を示す分解図である。
【図２】図１の標識柱を路面に設置した状態を示す正面図である。
【図３】交換用の本体表示部の一例を示す図である。
【図４】従来使用されていた三角コーン標識の説明図である。
【符号の説明】
１…台座、２…埋設脚、３…固定ネジ、４…本体中芯部、５−１，５−２，５−３…本体表示部、５０…文字表示、５１…再帰反射性テープ、６…蓋部、７…止めネジ。
【図１】
0004149097.tif 000002
【図２】
0004149097.tif 000003
【図３】
0004149097.tif 000004
【図４】
0004149097.tif 000005